(57)【要約】      （修正有）【課題】雌雄の嵌合部材の小型化、保持用部材の強度向上及び生地へのスナップファスナーの取付作業性の向上を図ることができる保持用部材及びこれを用いたスナップファスナーを提供する。【解決手段】スナップボタンを構成する雌型又は雄型の嵌合部材を衣服等の生地の所定位置に保持するための保持用部材１であって、前記嵌合部材に形成された貫通孔に挿入不可能な形状ないし大きさを有する本体４と、前記本体から突出し、前記貫通孔に対して該貫通孔の一端側から挿入されて他端側からその一部が露出する挿通が可能な略円柱状の軸体５とを有し、前記軸体の先側領域は略筒状を呈し、該先側領域の先端部分を周方向に三つ割にしてあるとともに、前記軸体の外周面には、前記貫通孔の他端側の開口縁に係止可能な係止突起１１を設けてある。【選択図】図１
0003234394.tif 000002
【実用新案登録請求の範囲】
【請求項１】
スナップボタンを構成する雌型又は雄型の嵌合部材を衣服等の生地の所定位置に保持するための保持用部材であって、
前記嵌合部材に形成された貫通孔に挿入不可能な形状ないし大きさを有する本体と、
前記本体から突出し、前記貫通孔に対して該貫通孔の一端側から挿入されて他端側からその一部が露出する挿通が可能な略円柱状の軸体とを有し、
前記軸体の先側領域は略筒状を呈し、該先側領域の先端部分を周方向に三つ割にしてあるとともに、前記軸体の外周面には、前記貫通孔の他端側の開口縁に係止可能な係止突起を設けてある保持用部材。
【請求項２】
前記係止突起は、前記軸体の外周面において周方向に延びる突条であり、前記軸体の軸方向に間隔をあけて複数設けられている請求項１に記載の保持用部材。
【請求項３】
スナップファスナーを構成する雌型又は雄型のスナップボタンが、請求項１または２に記載の保持用部材と、該保持用部材によって衣服等の生地の所定位置に保持される雌型又は雄型の嵌合部材とを具備したスナップファスナー。
【考案の詳細な説明】
【技術分野】
【０００１】
本考案は、例えば、弾性嵌合する雌雄のスナップボタンによって構成されるスナップファスナー（衣類用点ファスナー）を、専用の工具を用いることなく衣服等の生地に取付可能とする技術に関する。
【背景技術】
【０００２】
専用の工具を用いることなく衣服等の生地に取付可能なスナップファスナーは公知であり（例えば実用新案登録文献１）、図７（Ａ）に示す保持用部材５１、図７（Ｃ）に示す雌型の嵌合部材６０及び図７（Ｄ）に示す雄型の嵌合部材７０は、斯かるスナップファスナーを構成するものである。すなわち、図７（Ｃ）に示す雌型の嵌合部材６０の凹部６１と、図７（Ｄ）に示す雄型の嵌合部材７０の凸部７１とは相互に弾性嵌合可能であり、保持用部材５１は、雌雄の嵌合部材６０、７０をそれぞれ生地Ｃの所定位置に保持可能とし、この保持を行わせるために打ち具等の専用の工具は不要である。なお、一組のスナップファスナーには、二つの保持用部材５１と、各一つの嵌合部材６０、７０とを要する。
【０００３】
詳述すると、保持用部材５１は、図７（Ａ）に示すように、円盤状の本体５２と、本体５２の中心から突出する軸体５３とを有し、軸体５３の先端部外周の１８０度離れた２箇所には外側方へ突出する膨径部５４が形成され、二つの膨径部５４の間には、軸体５３の先端面からスリット５５が切り込まれている。
【０００４】
一方、雌型の嵌合部材６０は、図７（Ｃ）に示すように、凹部６１の底に貫通孔６２を有し、図７（Ｄ）に示す雄型の嵌合部材７０の略円筒状の凸部７１の底にも、これと同様の貫通孔（図示していない）が設けられている。
【０００５】
そして、保持用部材５１によって雌型の嵌合部材６０を保持するには、保持用部材５１の軸体５３を、衣服等の生地Ｃに設けた穴Ｈ（図７（Ａ）参照）に通し、図７（Ｂ）に示すように、生地Ｃの下面側に本体５２を位置させつつ、軸体５３を生地Ｃの上面側に突出させた状態とした後、図７（Ｃ）に示すように、雌型の嵌合部材６０を生地Ｃの上面側から保持用部材５１の軸体５３に接近させ、嵌合部材６０の貫通孔６２にその下方から軸体５３を真っすぐ挿入するだけでよい。この挿入を行うと、軸体５３の先端部の二つの膨径部５４はスリット５５により縮径してから復径することにより、各膨径部５４は貫通孔６２を通り抜けてから貫通孔６２の開口縁に係止し、嵌合部材６０は保持用部材５１によって生地Ｃの所定位置（穴Ｈの位置）に保持された状態となる。なお、保持用部材５１による雄型の嵌合部材７０の保持も同様に行える。
【先行技術文献】
【特許文献】
【０００６】
【特許文献１】特開２０１４−１４５４０４号公報
【考案の概要】
【考案が解決しようとする課題】
【０００７】
上記従来のスナップファスナーでは、スリット５５による膨径部５４の縮径が可能である構造上、貫通孔６２を通り抜けた後に復径した膨径部５４が貫通孔６２の開口縁にしっかりと係止し、軸体５３が貫通孔６２から抜けないようにするためには、膨径部５４を軸体５３の径方向にも軸方向にもある程度大きくする必要がある。しかし、膨径部５４を大きくすると、この膨径部５４を受け入れる雌雄の嵌合部材６０、７０の凹部６１、凸部７１も大きくしなければならず、雌雄の嵌合部材６０、７０の大型化は、これらを設けた衣服等の端部を閉じたときにその箇所で隙間が大きくなるという問題を生じる。
【０００８】
また、上記従来のスナップファスナーでは、スリット５５が深く入っているため、膨径部５４を含む軸体５３の強度が低下する恐れがあり、スリット５５を浅くすると膨径部５４を貫通孔６２に通すのにかなりの力を要することになる。
【０００９】
さらに、上記従来のスナップファスナーでは、保持用部材５１によって雌型の嵌合部材６０を保持させるために、雌型の嵌合部材６０の貫通孔６２に対してその下方から保持用部材５１の軸体５３をまっすぐ挿入する必要があるが、軸体５３の先端側はスリット５５によって二つ割になっているため、挿入の際の軸体５３の軸回りの向きによってはこの軸体５３に対する雌型の嵌合部材６０が傾きやすく、挿入作業に手間取るという問題もある。
【００１０】
本考案は上述の事柄に留意してなされたもので、その目的は、雌雄の嵌合部材の小型化、保持用部材の強度向上及び生地へのスナップファスナーの取付作業性の向上を図ることができる保持用部材及びこれを用いたスナップファスナーを提供することにある。
【課題を解決するための手段】
【００１１】
上記目的を達成するために、本考案に係る保持用部材は、スナップボタンを構成する雌型又は雄型の嵌合部材を衣服等の生地の所定位置に保持するための保持用部材であって、前記嵌合部材に形成された貫通孔に挿入不可能な形状ないし大きさを有する本体と、前記本体から突出し、前記貫通孔に対して該貫通孔の一端側から挿入されて他端側からその一部が露出する挿通が可能な略円柱状の軸体とを有し、前記軸体の先側領域は略筒状を呈し、該先側領域の先端部分を周方向に三つ割にしてあるとともに、前記軸体の外周面には、前記貫通孔の他端側の開口縁に係止可能な係止突起を設けてある（請求項１）。
【００１２】
上記保持用部材において、前記係止突起は、前記軸体の外周面において周方向に延びる突条であり、前記軸体の軸方向に間隔をあけて複数設けられていてもよい（請求項２）。
【００１３】
一方、上記目的を達成するために、本考案に係るスナップファスナーは、スナップファスナーを構成する雌型又は雄型のスナップボタンが、請求項１または２に記載の保持用部材と、該保持用部材によって衣服等の生地の所定位置に保持される雌型又は雄型の嵌合部材とを具備した（請求項３）。
【考案の効果】
【００１４】
本願考案では、雌雄の嵌合部材の小型化、保持用部材の強度向上及び生地へのスナップファスナーの取付作業性の向上を図ることができる保持用部材及びこれを用いたスナップファスナーが得られる。
【００１５】
すなわち、本願の各請求項に係る考案の保持用部材では、軸体の先側領域にスリットを設けず先側領域を略筒状としたことにより、嵌合部材の貫通孔に軸体を挿入する際の軸体の変形性（縮径度合い）を小さく抑えることができ、これに伴い、貫通孔の開口縁に係止させる係止突起も小さくて済み、また、スリットを設けず略筒状とする先側領域自体も、その構造上（強度的に問題無く）、小型化可能であるので、軸体の先側領域や係止突起を受け入れる嵌合部材の小型化を図ることができる。
【００１６】
また、本考案の保持用部材では、軸体の先側領域にスリットを設けず略筒状としたことにより、その強度向上を図ることもできる。
【００１７】
さらに、本考案の保持用部材では、軸体の先側領域の先端部分を周方向に三つ割にしてあることにより、挿入の際の軸体の軸回りの向きによらずこの軸体に対する嵌合部材が傾き難く、挿入作業の容易化を図ることができる。また、軸体の先側領域の先端部分を周方向に四つ割以上にすると強度が低下し易いが、三つ割としたことにより強度低下防止をも図ることができる。
【００１８】
請求項２に係る考案の保持用部材では、軸体の軸方向に間隔をあけて複数の係止突起を設けたことにより、スナップファスナーの取付対象とする生地の厚みのばらつきに対応することができる。
【図面の簡単な説明】
【００１９】
【図１】（Ａ）及び（Ｂ）は、本考案の一実施の形態に係るスナップファスナーを構成する保持用部材の斜視図及び平面図である。
【図２】（Ａ）は前記保持用部材の正面図、（Ｂ）は（Ａ）のＡ−Ａ線断面図である。
【図３】（Ａ）〜（Ｃ）は、前記スナップファスナーを構成する雌型の嵌合部材の上面側からみた斜視図、下面側からみた斜視図及び平面図、（Ｄ）は（Ｃ）のＡ−Ａ線断面図である。
【図４】（Ａ）〜（Ｃ）は、前記スナップファスナーを構成する雄型の嵌合部材の上面側からみた斜視図、下面側からみた斜視図及び平面図、（Ｄ）は（Ｃ）のＡ−Ａ線断面図である。
【図５】（Ａ）及び（Ｂ）は、前記保持用部材の変形例の斜視図及び縦断面図である。
【図６】前記保持用部材の他の変形例の斜視図である。
【図７】（Ａ）及び（Ｂ）は、従来のスナップファスナーの保持用部材の生地へのセット方法を示す説明図、（Ｃ）及び（Ｄ）は従来のスナップファスナーの保持用部材による雌型の嵌合部材及び雄型の嵌合部材の保持方法を示す説明図である。
【考案を実施するための形態】
【００２０】
本考案の実施の形態について以下に説明する。
【００２１】
図１及び図２に示す保持用部材１、図３に示す雌型の嵌合部材２、図４に示す雄型の嵌合部材３は、専用の工具を用いることなく衣服等の生地に取付可能なスナップファスナーを構成するものであり、それぞれ図７に示す保持用部材５１、嵌合部材６０、７０に対応する。すなわち、本例の一組のスナップファスナーは、一つの保持用部材１及び雌型の嵌合部材２からなる雌型のスナップボタンと、他の一つの保持用部材１及び雄型の嵌合部材３からなる雄型のスナップボタンとで構成される。
【００２２】
そして、上述のように、従来のスナップファスナーを構成する保持用部材５１が、嵌合部材６０、７０を衣服等の生地Ｃの所定位置（そこには目打ち等の適宜の道具で穴Ｈが形成される。図７（Ａ）参照）に保持するためのものであったのと同様に、保持用部材１は、スナップボタンを構成する嵌合部材２、３を衣服等の生地の所定位置に保持するためのものである。
【００２３】
図１及び図２に示すように、保持用部材１は、略円盤状の本体４と、この本体４の一面側（上面側）の中央部から突出する軸体５とを有する。
【００２４】
本体４は、雌型の嵌合部材２に形成された貫通孔６（図３（Ａ）〜（Ｄ）参照）及び雄型の嵌合部材３に形成された貫通孔７（図４（Ｂ）〜（Ｄ）参照）に挿入不可能な形状ないし大きさを有する。また、本体４の一面側（上面側）における軸体５の周囲には、生地Ｃに食い込んで本体４の軸回りの回転を防止するスパイク状の小突起８が周方向に等間隔で複数形成されている。なお、小突起８は、この回転防止機能を発揮可能な適宜の形状を有していればよく、例えば、図１（Ａ）に示すように略円柱状をしていてもよいし、図２（Ｂ）に示すように円柱の先端を尖らせて円錐状としてあってもよい。
【００２５】
軸体５は、雌雄の嵌合部材２，３の貫通孔６，７に対して貫通孔６，７の一端側から挿入されて他端側からその一部が露出する挿通が可能な略円柱状をしている。そして、軸体５の先側領域９（図２（Ｂ）参照）が略筒状を呈するように、先側領域９（軸体５）の先端面中央から基端側に向かって延びる凹入部９ａが形成されている。なお、この先側領域９（凹入部９ａ）は、軸体３の全長の１／４〜１／２程度の長さとすることが考えられる。
【００２６】
また、先側領域９の先端部分を周方向に三つ割にして、三つの突出部１０を有するようにしてあるとともに、軸体５の外周面には、貫通孔６，７の他端側（上端側）の開口縁に係止可能な係止突起１１を設けてある。ここで、係止突起１１は、軸体５の外周面において周方向に延びる突条（環状突起）であり、軸体５の軸方向に間隔をあけて複数（図示例では計五つ）設けてある。
【００２７】
一方、図３に示す雌型の嵌合部材２の凹部１２と、図４に示す雄型の嵌合部材３の凸部１３とは相互に弾性嵌合可能であり、凹部１２の底には貫通孔６の他端（上端）が臨み、凸部１３の底には貫通孔７の他端（上端）が臨んでいる。
【００２８】
なお、保持用部材１による雌雄の嵌合部材２，３の保持のさせ方は、図７に示した従来のスナップファスナーを構成する保持用部材５１による雌雄の嵌合部材６０、７０の保持のさせ方と同様に行えるのであり、重複を避けるため、その説明を省略する。
【００２９】
上記のように構成した本例のスナップファスナーでは、雌雄の嵌合部材２，３の小型化、保持用部材１の強度向上及び生地Ｃへのスナップファスナーの取付作業性の向上を図ることができる。
【００３０】
すなわち、本例の保持用部材１では、軸体５の先側領域９にスリットを設けず先側領域９を略筒状としたことにより、雌雄の嵌合部材２，３の貫通孔６，７に軸体５を挿入する際の軸体５の変形性（縮径度合い）を小さく抑えることができ、これに伴い、貫通孔６，７の開口縁に係止させる係止突起１１も小さくて済み、また、スリットを設けず略筒状とする先側領域９自体も、その構造上（強度的に問題無く）、小型化可能であるので、軸体５の先側領域９や係止突起１１を受け入れる凹部１２、凸部１３を有する嵌合部材２，３の小型化を図ることができる。例えば、図７に示す従来のスナップファスナーでは、自然状態における膨径部５３の外径は貫通孔６２の内径よりも０．５ｍｍ以上大きくする必要があると考えられるが、本例の係止突起１１の外径は貫通孔６，７の内径よりも約０．１ｍｍ程度大きいものとすることが可能である。
【００３１】
また、本例の保持用部材１では、軸体５の先側領域９にスリットを設けず略筒状としたことにより、その強度向上を図ることもできる。
【００３２】
さらに、本例の保持用部材１では、軸体５の先側領域９の先端部分を周方向に三つ割にしてあることにより、挿入の際の軸体５の軸回りの向きによらずこの軸体５に対する嵌合部材２，３が傾き難く、挿入作業の容易化を図ることができる。また、軸体５の先側領域９の先端部分を周方向に四つ割以上にすると強度が低下し易いが、三つ割としたことにより強度低下防止をも図ることができる。
【００３３】
その上、本例の保持用部材１では、軸体５の軸方向に間隔をあけて複数の係止突起１１を設けたことにより、スナップファスナーの取付対象とする生地Ｃの厚みのばらつきに対応することができる。
【００３４】
なお、本考案は、上記の実施の形態に何ら限定されず、本考案の要旨を逸脱しない範囲において種々に変形して実施し得ることは勿論である。例えば、以下のような変形例を挙げることができる。
【００３５】
図１（Ａ）、図２（Ｂ）には軸体５の外周面に係止突起１１が計五つ設けられている例を示したが、係止突起１１の数はこれに限らず、四つ以下でも六つ以上でもよく、例えば、図５（Ａ）及び（Ｂ）に示すように、先側領域９の外周面に一つの係止突起１１のみを設けるようにしてもよい。
【００３６】
また、図６に示すように、係止突起１１が軸体５の外周面上を螺旋状に延びるようにしてもよい。
【符号の説明】
【００３７】
１    保持用部材
２    雌型の嵌合部材
３    雄型の嵌合部材
４    本体
５    軸体
６    貫通孔
７    貫通孔
８    小突起
９    先側領域
９ａ  凹入部
１０    突出部
１１    係止突起
１２    凹部
１３    凸部
５１    保持用部材
５２    本体
５３    軸体
５４    膨径部
５５    スリット
６０    雌型の嵌合部材
６１    凹部
６２    貫通孔
７０    雄型の嵌合部材
７１    凸部
Ｃ    生地
Ｈ    穴
【図１】
0003234394.tif 000003
【図２】
0003234394.tif 000004
【図３】
0003234394.tif 000005
【図４】
0003234394.tif 000006
【図５】
0003234394.tif 000007
【図６】
0003234394.tif 000008
【図７】
0003234394.tif 000009